(57)【特許請求の範囲】
【請求項１】
並置する２つの主母線と、前記各主母線間を接続する母線連絡用ガス絶縁開閉ユニットと、前記各主母線の一方側に前記母線連絡用ガス絶縁開閉ユニットを挟むように配置され、それぞれ前記各主母線と送電線間を接続する横置形遮断器を有する送電線回線用ガス絶縁開閉ユニットと、前記各主母線の他方側に前記母線連絡用ガス絶縁開閉ユニット及び前記各送電線回線用ガス絶縁開閉ユニットを挟むように配置され、それぞれ前記各主母線と変圧器間を接続する遮断器を有する変圧器回線用ガス絶縁開閉ユニットとを有し、前記各送電線回線用ガス絶縁開閉ユニットの横置形遮断器は、それぞれ分岐母線を介して前記各主母線と接続したガス絶縁開閉装置において、
前記母線連絡用ガス絶縁開閉ユニットは、前記主母線の長手方向の中央部に配置し、前記各送電線回線用ガス絶縁開閉ユニット及び前記各変圧器回線用ガス絶縁開閉ユニットは、前記母線連絡用ガス絶縁開閉ユニットを中心として略対称となるように配置し、前記送電線回線用ガス絶縁開閉ユニットの横置形遮断器は、前記各主母線の略同一水平軸上に配置すると共に、前記横置形遮断器の垂直面上側に位置するように分岐母線を配設してそれぞれ断路器を介して前記各主母線と接続し、かつ前記横置形遮断器の軸方向端面から水平方向に前記分岐母線を引出してブッシングと接続して構成したことを特徴とするガス絶縁開閉装置。
【発明の詳細な説明】
【技術分野】
【０００１】
本発明は電力の送配電や受配電に用いられるガス絶縁開閉装置に関する。
【背景技術】
【０００２】
一般に、ガス絶縁開閉装置は電力の送配電や受配電を行うために電力系統の開閉に多く採用されている。ガス絶縁開閉装置は電力系統から通常２回線を引込み、主母線は電力の安定供給のため２重母線方式にしている。主母線は相分離配置あるいは３相一括配置するようにしている。
【０００３】
このようなガス絶縁開閉装置は主母線と送電線を接続する送電線回線用ガス絶縁開閉ユニットと、主母線と変圧器を接続する変圧器回線用ガス絶縁開閉ユニットと、２重母線の場合には母線連絡用ガス絶縁開閉ユニットを備えている。
【０００４】
送電線回線用ガス絶縁開閉ユニットは、遮断器の一端が分岐母線と断路器を介して主母線に接続され、他端が断路器と分岐母線を介してブッシングに接続するように構成されている。ブッシングに電力系統の送電線が接続される。
【０００５】
変圧器回線用ガス絶縁開閉ユニットは、一端が分岐母線と断路器を介して主母線に接続され、他端が分岐母線を介して変圧器に接続される遮断器を有して構成されている。また、母線連絡用ガス絶縁開閉ユニットは、一端が分岐母線を介して２重母線の一方の主母線に接続され、他端が分岐母線を介して他方の主母線に接続される遮断器を有して構成されている。
【０００６】
送電線回線用ガス絶縁開閉ユニット（ブッシング引出回線）の遮断器を横置形とし、変圧器回線用ガス絶縁開閉ユニット（ケーブル引出回線）の遮断器を縦置形にすることが知られている。このことは、例えば、下記特許文献１に記載されている。
【０００７】
【特許文献１】特開２００２―３０５８１５号公報
【発明の開示】
【発明が解決しようとする課題】
【０００８】
従来技術は、送電線回線用ガス絶縁開閉ユニットの遮断器を横置形にしているが、上面観がコ字状（横置形遮断器と２本の分岐母線における折曲部の形状）にして分岐母線に接続している。分岐母線が遮断器間に配設されるので、３相各相の遮断器は離して配置しなければならなくなる。そのために遮断器と略直線上に配置される断路器も各相離れてしまい、３相の断路器を１台の操作器で操作することが難しくなり３相各相の断路器毎に操作器を設けることが必要になる。したがって、断路器の操作が面倒になり、かつコストが大になるという問題点を有する。
【０００９】
本発明の目的は断路器の操作を簡単に行え、コスト低減を図ることができるガス絶縁開閉装置を提供することにある。
【課題を解決するための手段】
【００１０】
本発明のガス絶縁開閉装置は、並置する２つの主母線と、前記各主母線間を接続する母線連絡用ガス絶縁開閉ユニットと、前記各主母線の一方側に前記母線連絡用ガス絶縁開閉ユニットを挟むように配置され、それぞれ前記各主母線と送電線間を接続する横置形遮断器を有する送電線回線用ガス絶縁開閉ユニットと、前記各主母線の他方側に前記母線連絡用ガス絶縁開閉ユニット及び前記各送電線回線用ガス絶縁開閉ユニットを挟むように配置され、それぞれ前記各主母線と変圧器間を接続する遮断器を有する変圧器回線用ガス絶縁開閉ユニットとを有し、前記各送電線回線用ガス絶縁開閉ユニットの横置形遮断器は、それぞれ分岐母線を介して前記各主母線と接続したガス絶縁開閉装置において、前記母線連絡用ガス絶縁開閉ユニットは、前記主母線の長手方向の中央部に配置し、前記各送電線回線用ガス絶縁開閉ユニット及び前記各変圧器回線用ガス絶縁開閉ユニットは、前記母線連絡用ガス絶縁開閉ユニットを中心として略対称となるように配置し、前記送電線回線用ガス絶縁開閉ユニットの横置形遮断器は、前記各主母線の略同一水平軸上に配置すると共に、前記横置形遮断器の垂直面上側に位置するように分岐母線を配設してそれぞれ断路器を介して前記各主母線と接続し、かつ前記横置形遮断器の軸方向端面から水平方向に前記分岐母線を引出してブッシングと接続して構成したことを特徴としている。
【００１１】
本発明は、送電線回線用ガス絶縁開閉ユニットの横置形遮断器は、主母線に接続する分岐母線が垂直面上側に位置するように配設されているので各相の遮断器を近接して配置することができる。したがって、３相の断路器は１台の操作器で３相一括操作できるので、断路器の操作を簡単に行える。しかも、各送電線回線用及び各変圧器回線用ガス絶縁開閉ユニットを母線連絡用ガス絶縁開閉ユニットに対して適切に配置したので、ガス絶縁開閉装置全体の据付面積を減縮することができるから、コスト低減を図ることができる。
【発明を実施するための最良の形態】
【００１３】
主母線は２重母線に構成されている。送電線回線用ガス絶縁開閉ユニットの横置形遮断器は、一端が分岐母線と断路器を介して主母線に接続され、他端が断路器と分岐母線を介して送電線に接続される。送電線回線用ガス絶縁開閉ユニットの横置形遮断器は、主母線に接続する分岐母線が垂直面上側に位置するように配設されている。変圧器回線用ガス絶縁開閉ユニットは、一端が分岐母線と断路器を介して主母線に接続され、他端が分岐母線を介して変圧器に接続される遮断器を有する。母線連絡用ガス絶縁開閉ユニットは、一端が分岐母線を介して２重母線の一方の主母線に接続され、他端が分岐母線を介して他方の主母線に接続される遮断器を有する。送電線回線用絶縁開閉ユニットの横置形遮断器は、分岐母線の遮断器接続端折曲部とによって垂直面でＬ字状を形成して断路器を接続し、母線連絡用ガス絶縁開閉ユニットの遮断器は両端の分岐母線が垂直面でコ字状に接続される縦置形で構成されている。
【実施例】
【００１４】
図１に本発明の一実施例を示す。図1はガス絶縁開閉装置の平面機器配置図である。図１は２重母線の例を示している。
【００１５】
図１において、３相の主母線１、２は２つの送電線回線用ガス絶縁開閉ユニット１０Ａ、１０Ｂによりブッシング１７に接続されている。また、主母線１、２は２つの変圧器回線用ガス絶縁開閉ユニット２０Ａ、２０Ｂにより変圧器３、４に接続されている。変圧器回線用ガス絶縁開閉ユニット２０Ａは横置形遮断器を用いており、変圧器回線用ガス絶縁開閉ユニット２０Ｂは縦置形遮断器を用いている例を示している。主母線１と２の間は母線連絡用ガス絶縁開閉ユニット３０により接続されている。
【００１６】
図２に送電線回線用ガス絶縁開閉ユニット１０の一例構成を示す。
【００１７】
図２において、主母線１、２は円筒状の母線容器にそれぞれ３相母線が張設されている。主母線１、２には母線側断路器１１，１２の一端（母線側端）が接続されている。断路器１１，１２は断路器容器に収納されている。断路器１１，１２の他端つまり送電線回線側（以後、線路側と称する）端は分岐管に収納されている分岐母線１３によって横置形遮断器１４の一端（母線側端）に接続される。遮断器１４は遮断器容器に収納されている。
【００１８】
分岐母線１３の線路側端（遮断器接続端）は横置形遮断器１４の上側（垂直面上側）に位置しており垂直に折曲されて遮断器１４の母線側端に接続される。分岐母線１３における線路側端の折曲部はＬ字の短足部を形成する。横置形遮断器１４の他端（線路側端）は横置形遮断器１４と水平配置されている線路側断路器１５の一端（母線側端）に接続される。断路器１５は断路器容器に収納配置されている。
【００１９】
横置形遮断器１４はＬ字の長足部を形成し、分岐母線１３と断路器１５を符号１８で示すようにＬ字状に接続することになる。換言すると、横置形遮断器１４は両端に接続される機器（分岐母線１３と断路器１５）をＬ字状に接続することになる。線路側断路器１５の他端（線路側端）は分岐母線１６によってブッシング１７に接続されている。
【００２０】
主母線１，２を収納配置する母線容器、断路器１１，１２，１５を収納配置する断路器容器、分岐母線１３，１６を収納配置する分岐管および横置形遮断器１４を収納配置する遮断器容器のそれぞれの内部には絶縁ガスが密封して封入されている。
【００２１】
図３に横置形遮断器を用いた変圧器回線用ガス絶縁開閉ユニット２０Ａの一例構成を示す。
【００２２】
図３において、主母線１、２には母線側断路器２１，２２の一端（母線側端）が接続されている。断路器２１，２２は断路器容器に収納されている。断路器２１，２２の他端（変圧器端）は分岐管に収納されている分岐母線２３によって横置形遮断器２４の一端（母線側端）に接続される。遮断器２４は遮断器容器に収納されている。
【００２３】
分岐母線２３の変圧器側端（遮断器接続端）は横置形遮断器２４の上側（垂直面上側）に位置しており垂直に折曲されて遮断器２４の一端（母線側端）に接続される。分岐母線２３における変圧器側端の折曲部はＬ字の短足部を形成する。横置形遮断器２４の他端（変圧器側端）は分岐母線２５の母線側端に接続される。分岐母線２５は分岐管に収納配置されている。
【００２４】
横置形遮断器２４はＬ字の長足部を形成し、分岐母線２３と２５を符号２６で示すようにＬ字状に接続することになる。換言すると、横置形遮断器２４は両端に接続される機器（分岐母線２３と２５）をＬ字状に接続することになる。分岐母線２５の変圧器側端は変圧器３に接続される。
【００２５】
断路器２１，２２を収納配置する断路器容器、分岐母線２３，２５を収納配置する分岐管および横置形遮断器２４を収納配置する遮断器容器のそれぞれの内部には絶縁ガスが密封して封入されている。
【００２６】
なお、変圧器回線用ガス絶縁開閉ユニット２０Ｂは遮断器２４が縦置形であることが異なるのみで変圧器回線用ガス絶縁開閉ユニット２０Ａと同様な構成になる。遮断器２４を横置形あるいは縦置形にするかは変圧器３，４の接続端子の高さ位置により決定される。
【００２７】
図４に母線連絡用ガス絶縁開閉ユニット３０の一例構成を示す。
【００２８】
図４において、主母線１、２には断路器３１，３２の一端（母線側端）が接続されている。断路器３１，３２は断路器容器に収納されている。断路器３１の他端（線路側端）は分岐管に収納されている分岐母線３３によって縦置形遮断器３５に接続される。縦置形遮断器３５は遮断器容器に収納されている。断路器３２の他端（線路側端）は分岐管に収納されている分岐母線３４によって縦置形遮断器３５の接続される。分岐母線３４は分岐母線３３より上で縦置形遮断器３５に接続される。
【００２９】
分岐母線３３と３４は水平配置されて縦置形遮断器３５に接続される。縦置形遮断器３５は分岐母線３３と３４を符号３６で示すように縦方向にコ字状に接続することになる。換言すると、縦置形遮断器３５は両端に接続される機器（分岐母線３３と３４）を縦方向にコ字状に接続することになる。
【００３０】
なお、送電線回線用ガス絶縁開閉ユニット１０、変圧器回線用ガス絶縁開閉ユニット２０および母線連絡用ガス絶縁開閉ユニット３０には接地開閉器や変流器などが設けられるが図示を省略している。
【００３１】
このように構成されるガス絶縁開閉装置の単線接続図は図５のようになる。図５は送電線回線用ガス絶縁開閉ユニット１０Ａ、１０Ｂ、変圧器回線用ガス絶縁開閉ユニット２０Ａ、２０Ｂおよび母線連絡用ガス絶縁開閉ユニット３０を破線で囲んで示している。また、接地開閉器、変流器、変成器などの記号も記載している。なお、図５の単線接続図は良く知られており詳細説明を省略する。
【００３２】
本発明のガス絶縁開閉装置は以上のように構成されており、送電線回線用ガス絶縁開閉ユニットの横置形遮断器は、主母線に接続する分岐母線が垂直面上側に位置するように配設されているので各相の遮断器を近接して配置することができる。したがって、３相の断路器は１台の操作器で３相一括操作できるので、断路器の操作を簡単に行える。しかも、各送電線回線用及び各変圧器回線用ガス絶縁開閉ユニットを母線連絡用ガス絶縁開閉ユニットに対して適切に配置したので、ガス絶縁開閉装置全体の据付面積を減縮することができるから、コスト低減を図ることができる。
【００３３】
また、上述の実施例は変圧器回線用ガス絶縁開閉ユニットが横置形と縦置形の遮断器を用いるようにしているので変圧器の端子位置高さに簡単に対応することができる。
【００３４】
なお、上述の実施例は２重母線方式の例を挙げているが、１母線方式であっても良いことは明らかなことである。
【図面の簡単な説明】
【００３５】
【図１】本発明の一実施例を示す機器配置平面図である。
【図２】本発明の送電線回線用ガス絶縁開閉ユニットの一例構成図である。
【図３】本発明の変圧器回線用ガス絶縁開閉ユニットの一例構成図である。
【図４】本発明の母線連絡用ガス絶縁開閉ユニットの一例構成図である。
【図５】本発明の一実施例の単線接続図である。
【符号の説明】
【００３６】
１、２…主母線、３，４…変圧器、１０…送電線回線用ガス絶縁開閉ユニット、１１、１２、１５…断路器、１３．１６…分岐母線、１４…横置形遮断器、１７…ブッシング、１８…L字状、２０…変圧器回線用ガス絶縁開閉ユニット、２１、２２…断路器、２３．２５…分岐母線、２４…横置形遮断器、２６…L字状、３０…母線連絡用ガス絶縁開閉ユニット、３１、３２…断路器、３３．３４…分岐母線、３５…縦置形遮断器、３６…コ字状。
【図１】
0004397671.tif 000002
【図２】
0004397671.tif 000003
【図３】
0004397671.tif 000004
【図４】
0004397671.tif 000005
【図５】
0004397671.tif 000006